(57)【要約】【課題】釣用餌箱の容器本体の開口からの生餌の逃げ出しを防止すると共に、上蓋閉賽時における生餌の潰しを防止し得、しかも、枠体下面に這い登って集まった生餌の取出しを容易にした釣用餌箱の提供を目的とします。【解決手段】上部を開口させた筐体形状の容器本体１の開口１ｄに該開口上部の内側周縁から突出可能なように該開口よりも小さな取出し孔２ｄを設けた枠体２、２’を着脱自在に設けると共に、前記開口及び取出し孔を閉賽可能な上蓋３を開閉自在設けた釣用餌箱において、前記枠体２、２’の少なくとも下面を枠体外周縁から前記取出し孔に向けて漸次下降する傾斜面２ｂにする。【選択図】        図２
2005046077.tif 000002
【特許請求の範囲】
【請求項１】
上部を開口させた筐体形状の容器本体の開口に該開口上部の内側周縁から突出可能なように該開口よりも小さな取出し孔を設けた枠体を着脱自在に設けると共に、前記開口及び取出し孔を閉賽可能な上蓋を開閉自在設けた釣用餌箱において、前記枠体の少なくとも下面を枠体外周縁から前記取出し孔に向けて漸次下降する傾斜面にしたことを特徴とする釣用餌箱。
【発明の詳細な説明】
【技術分野】
【０００１】
この発明は、生餌等を収納する釣用餌箱に関する。
【背景技術】
【０００２】
従来の釣用餌箱としては、上部を開口させた筐体形状の容器本体に前記開口を閉賽可能なように上蓋を開閉自在に設けたものが汎用されておりますが、汎用されている一般的な釣用餌箱の容器本体の開口は、内側を平坦にして上方に開放させているだけであるため、容器本体に収納した例えばゴカイやミミズ等の生餌が這い上がって逃げ出し、また、上蓋閉賽時に開口上部に這い上がった生餌を潰してしまうと言う問題がありました。
【０００３】
実公昭５３−４２５５８号公報には、前述の問題解決のために容器本体の開口上部に内方へ向けて折曲縁を一体に設けた釣用餌箱が提案されておりますが、このような餌箱では容器本体に沿って登ってきた生餌を折曲縁でくい止めこれ以上上方へ登らせないことができるようにはなっておりますが、その折曲縁の下方に登ってきた生餌が集まってしまって、これらの生餌を取り出し難くなってしまうという新たな問題が生じるものでした。
【０００４】
また、実開昭６４−４１２６１号公報、及び特許第３２５６１１５号公報には、前述の問題解決のために容器本体の開口に該開口上部の内側周縁から突出可能なように該開口よりも小さな取出し孔を設けた枠体を着脱自在に設け、容器本体に沿って登ってきた生餌を枠体でくい止めると共に、枠体を容器本体の開口から取り外すことによって、枠体下方に集まった生餌を取り出し易くした釣用餌箱が提案されています。
【０００５】
しかし、実開昭６４−４１２６１号公報に開示されている枠体の下面は、枠体周縁から前記取出し孔に向けて水平面に形成され、特許第３２５６１１５号公報に開示されている枠体の下面は、枠体周縁から前記取出し孔に向けて漸次上昇する傾斜面に形成されているために、容器本体に沿って登ってきた生餌は、直角或いは鈍角に屈曲した状態にて枠体下面を這って、取出し孔から枠体上面に這い登って逃げ出したり、枠体上面に這い登った生餌を上蓋閉賽時に潰してしまうので、前述の課題の解決を完全にし得るものではありませんでした。
【特許文献１】実公昭５３−４２５５８号公報
【特許文献２】実開昭６４−４１２６１号公報
【特許文献３】特許第３２５６１１５号公報
【発明の開示】
【発明が解決しようとする課題】
【０００６】
本発明は、前述の課題解決のためになされたものであり、容器本体の開口からの生餌の逃げ出しを防止すると共に、上蓋閉賽時における生餌の潰しを防止し得、しかも、枠体下面に這い登って集まった生餌の取出しを容易にした釣用餌箱の提供を目的とします。
【課題を解決するための手段】
【０００７】
本発明に係る釣用餌箱は、前述の課題を解決するために、上部を開口させた筐体形状の容器本体の開口に該開口上部の内側周縁から突出可能なように該開口よりも小さな取出し孔を設けた枠体を着脱自在に設けると共に、前記開口及び取出し孔を閉賽可能な上蓋を開閉自在設けた釣用餌箱において、前記枠体の少なくとも下面を枠体外周縁から前記取出し孔に向けて漸次下降する傾斜面にしています。
【発明の効果】
【０００８】
本発明は前述のように構成されたから、枠体によってゴカイやミミズ等の生餌の逃げ出しを防止できると共に、枠体の下に集まった生餌をこそぎ落とすことがし易い。枠体を上蓋に係合することで、生餌を収納しない場合等には容器本体の開口を広くして使用でき、餌の取り出しが容易になる。枠体が軸に回動自在に枢着されると、紛失せずに合理的に容器本体への嵌合と上蓋への係合が行える等優れた効果を奏する釣用餌箱を提供することが出来る。
【実施例１】
【０００９】
以下、図１乃至図８にて本発明に係る釣用餌箱の実施例１を説明すると、図１は釣用餌箱の平面図、図２は釣用餌箱の断面側面図、図３は釣用餌箱の上蓋が開かれた状態での上蓋の裏面と容器本体と枠体が示された平面図、図４は上蓋と枠体とが開かれた釣用餌箱の断面側面図、図５は容器本体の平面図、図６は容器本体の正面図、図７は容器本体の底面図、図８は枠体の平面図である。
【００１０】
釣用餌箱は上部が開口した筐体状の容器本体１の上部一側にヒンジ１ａ、１ｂ、１ｃが設けられ、該ヒンジ１ａ、１ｂ、１ｃには、枠体２と上蓋３の下部一側に夫々設けられた一対のヒンジ２ａ、２ａ、３ａ、３ａが軸４にて開閉自在に枢着されています。
【００１１】
容器本体１は、合成樹脂にて前述のように筐体状に形成されて、上方に開口１ｄを有しており、開口１ｄの上縁近傍には、上縁に沿って段部１ｅが形成されています。
【００１２】
また、容器本体１の他側には、一体的に突出板１ｆが形成されており、該突出板１ｆには、上蓋３の係止用角孔１ｇと共に、該角孔１ｇに臨む凹部１ｈが図２、図４、及び図７に示されるように形成されています。
【００１３】
また、容器本体１の他側の突出板１ｆより下側には、一体に一対の突出リブ１ｉが図２、図６、及びず７に示されるように形成されており、突出板1fの端には、釣り人の腰に装着されたベルト等への止着用の止着部ａが、図２、及び図５に示されるようにヒンジ１ｊと連結部１ｋとヒンジ１ｍと連結部１ｎとヒンジ１ｏとによって突出形成されています。
【００１４】
そして、前記止着部ａには、図５に示されるように突出部１ｐの両側面に一対の係止部１ｑ、１ｒが形成されており、該係止部１ｑ、１ｒには、それぞれに係止凹部１ｓ、１ｔが形成されています。
【００１５】
容器本体１の開口１ｄの他側内面には、一対の係止凹部１ｕ、１ｕが形成されていますし、容器本体１の底面には、上向きコ字形の係合部１ｖが形成されています。
【００１６】
容器本体１の上部一側にヒンジ１ａ，１ｂ，１ｃにて上蓋３と共に開閉自在に枢着された前記枠体２は、合成樹脂で板状に形成されると共に、外周縁は容器本体１の開口１ｄの内側に合致した形状に形成されており、この開口１ｄの内側に落し込まれて開口１ｄ内側の上縁近傍に該上縁に沿って形成した前記段部１ｅ上に載置位置決め可能に設けられています。
【００１７】
そして、枠体２は、容器本体１の開口１ｄの内側と段部１ｅ上側とに生餌が侵入して逃る隙間が生じないように載置位置決めされています。
【００１８】
また、枠体２は、中央に大きな取出孔２ｄが形成されており、少なくとも下面を図２、及び図４に示すように枠体２の外周縁から前記取出孔２ｄに向けて漸次下降する傾斜面２ｂに形成しています。
【００１９】
従って、本実施例に係る釣用餌箱は、枠体２が容器本体１の開口１ｄに嵌合していても枠体２を取り外す（容器本体１と枠体２とを枢着している前記ヒンジを中心として開く）ことなく、この取出し孔２ｄから容器本体１の内部に収納された生餌を取り出すことができますし、枠体２を容器本体１の開口１ｄから取り外す（前記ヒンジを中心として開く）ことによって容器本体１の内側と枠体２の下面との隙間に集まった生餌を簡単に取出すことが出来ます。
【００２０】
また、容器本体１の内側に沿って登ってきた生餌は、容器本体１の開口１ｄに設けられた段部１ｅに載置位置決めされている枠体２の下面にて枠体２の上面に這い登ることが阻止され、更に枠体２の取出し孔２ｄから枠体２の上面に這い登ろうとする生餌は、枠体２の外周縁から前記取出し孔２ｄに向けて漸次下降する傾斜面２ｂに形成されている枠体２の下面にて鋭角に屈曲した状態で頭を下方に向けて這わなければならなくなるために枠体２の上面に這い登ることなく容器本体１の底部に戻る（落ちる）ことになり、上蓋３の閉賽時に生餌を潰して殺してしまうことも防止できます。
【００２１】
また、枠体２の他側外側には一対の係止凸部２ｅが形成されており、該係止凸部２ｅは、容器本体１の開口１ｄの他側内面の枠体１の取付け時における係止凸部２ｅの対向位置に形成されている前記一対の係止凹部１ｕ、１ｕに枠体２の取付け時に係止して枠体２の取付け状態を保持します。
【００２２】
次に、上蓋３は、合成樹脂にて下側が開口した皿状に形成されており、容器本体１の上部一側に形成されたヒンジ１ａ，１ｂ，１ｃに挿通されているの軸４にヒンジ３ａ、３ａを軸支して容器本体１の開口１ｄを開閉自在に枢着され、上蓋３の他側外側にはＶ字形の係止部３ｂが形成され、該係止部３ｂの外側に係止突起３ｃが形成されています。また、上蓋３の他側内側の前記枠体２の外周縁と対向する位置,或いは前記係止凸部２ｅの対向する位置には、一対の係止突起３ｄが形成されています。
【００２３】
以上のように形成した実施例１に係る釣用餌箱を使用する時は、図２に示すように容器本体１の止着部ａが曲折されて連結部１ｋと一対の突出リブ１ｉとの間に釣人の腰に装着したベルト等が通されます。止着部ａの突出部１ｐと一対の係止部１ｑ、１ｒは容器本体１の底面の係合部１ｖに挿入されて係止凹部１ｓ、１ｔが係合部１ｖに係止されます。
【００２４】
容器本体１の中にはゴカイやミミズ等の生餌が収容され、枠体２と上蓋３が閉じられます。枠体２が閉じられますと、枠体２の一対の係止凸部２ｅが容器本体１の一対の係止凹部１ｕ，１ｕに係止されて保持されます。
【００２５】
上蓋３が閉じられますと、Ｖ字形の係止部３ｂが容器本体１の突出板１ｆの角孔１ｇに挿入されて係止突起３ｃが角孔１ｇの縁の凹部１ｈに係止されて保持されます。
【００２６】
枠体２と上蓋３とは、図４に２点鎖線で示される枠体２のように上蓋３に係止して容器本体１に対して一体的に開閉するようにしてもよく、この場合は、上蓋３の一対の係止突起３ｄに枠体２の外縁部が圧縮係止されます。
【００２７】
図２及び図３に示されるように枠体２が上蓋３の一対の係止突起３ｄにて係止されることなく容器本体１の開口１ｄの中に落し込まれて段部１ｅ上に載置保持されると、枠体２の下面が外周縁から前記取出し孔２ｄに向けて漸次下降する傾斜面２ｂに形成されているので、前述のように生餌の逃げ出しを防止できると共に、枠体２を容器本体１の開口１ｄから嵌合を解除して枠体２の下に集まった生餌をこそぎ落とすことが容易に出来ます。
【００２８】
また、這い登らない生餌を収納する場合等には、枠体２を上蓋３に係止突起３ｄにて係止することで、通常の釣餌容器と同様に容器本体１の開口１ｄを広くして使用でき、餌の取り出しが容易になります。
【００２９】
また、本実施例のように枠体２が軸４にて容器本体１に回動自在に枢着されると、枠体２の紛失を防止できるのみならず、合理的に容器本体１の開口１ｄへの嵌合保持と上蓋３への係止保持とが選択的に行え、前述のような収容する生餌の種類によっての使い分けができます。
【実施例２】
【００３０】
図９は実施例１に係る釣用餌箱の一部を変形させた実施例２で、釣用餌箱の上蓋３と枠体２とが開かれた図４に対応する釣用餌箱の断面側面図と一部拡大図です。
【００３１】
実施例２では、枠体２の一側の一対のヒンジ２ａに切欠き２ｆが形成されて軸４に対して係脱自在に形成されており、他の構成は実施例１とほぼ同一のため、符号のみを図示して詳細な説明は省略します。
【００３２】
実施例２のように枠体２の一側の一対のヒンジ２ａに切欠き２ｆが形成されて軸４に対して係脱自在に形成されると、這い登らない生餌を収容する場合等で枠体２が不要な時に容器本体１への餌の収容容積を大きくすることが出来ます。
【００３３】
本発明に係る枠体２は、前記説明においては合成樹脂で形成するように述べましたが、柔軟性のある合成ゴムや天然ゴムなどの弾性のある材料で形成してもよいものです。
【実施例３】
【００３４】
次に、図１０乃至図１３にて本発明に係る釣用餌箱の実施例３を説明すると、図１０は実施例３に係る釣用餌箱の正面断面図、図１１は図１０のＸ−Ｘ断面図、図１２は容器本体の平面図、図１３は、開口を枠体で閉めた状態での平面図である。
【００３５】
本実施形態に係る釣用餌箱も上部が開口した筐体状の容器本体１の上部一側にヒンジ１ａ、１ｂ、１ｃが設けられ、該ヒンジ１ａ、１ｂ、１ｃには、図１２に一点鎖線で示すように枠体２，２’と上蓋３の下部一側に夫々設けられた一対のヒンジ２ａ、２’ａ、３ａ、３ａが軸４にて開閉自在に枢着されています。
【００３６】
容器本体１は、合成樹脂にて形成されて、上方に開口１ｄを有しており、両側の内側壁１ｅに上下方向に形成された１対のリブ１ｗ、１ｗ、１ｘ、１ｘに装着した仕切り板１ｙにて２室に区画可能に形成され、該仕切り板１yの装着によって区画された２室に種類の異なる生餌を収容したり、一方の室に生餌を収容して他方の室に仕掛けや釣用小物を収容したり、或いは、一方の室に生餌を収容して他方の室に冷却剤を収納して生餌の鮮度維持をする等の使用態様の多様性を可能としており、仕切り板１yは１枚による２室の区画に限られるものではなく、３室、４室に区画する様にしても良いものです。
【００３７】
また、容器本体１の他側には、一体的に突出板１ｆが形成されており、該突出板１ｆには、上蓋３の係止用角孔１ｇが形成されています。
【００３８】
また、容器本体１の他側には、図１１に一点鎖線にて示すように釣り人の腰に装着されたベルト等への止着用の止着部ａが、容器本体１の底部に摺動位置決め可能に装着され、ベルトと釣用餌箱との位置関係を調整可能にしています。
【００３９】
また、容器本体１の開口１ｄの他側内面には、図１３に示すように前述の実施例と同様に一対の係止凹部１ｕ、１ｕが形成されています。
【００４０】
容器本体１の上部一側に上蓋３と共に前記２室に対応させて枠体２、２’が開閉自在に枢着され、前記枠体２、２’は、合成樹脂で板状に形成されると共に、外周縁は容器本体１の開口１ｄを区画形成した内側に合致した形状に形成されており、両側上面に延設したフランジ２ｇ、２’ｇを容器本体１の開口１ｄの上縁に載置させると共に内側下面を前記仕切り板１ｙに載置することによって開口１ｄを閉塞位置決め可能に設けられています。
【００４１】
そして、枠体２、２’は、容器本体１の開口１ｄの内側との間に生餌が逃げない程度に隙間が生じないように載置位置決めされ、枠体２は、前述のように仕切り板１ｙにて区画された容器本体１の一方の室の開口１ｄに載置位置決めされるように、枠体２’は、仕切り板１ｙにて区画された容器本体１の他方の室の開口１ｄに載置位置決めされるように形成されています。
【００４２】
一方の室の開口１ｄに載置位置決めされる枠体２は、前記実施例と同様に中央に大きな取出し孔２ｄが形成されており、少なくとも下面を図１０に示すように枠体２の外周縁から前記取出し孔２ｄに向けて漸次下降する傾斜面２ｂにしています。
【００４３】
従って、容器本体１の開口１ｄに枠体２が嵌合していてもこの取出し孔２ｄから容器本体１の内部に収納された生餌を枠体２を取り外す（容器本体１と枠体２とを枢着している前記ヒンジを中心として開く）ことなく取り出すことができますし、容器本体１の内側と枠体２の下面との隙間に集まった生餌を取出す場合は、枠体２を容器本体１の開口１ｄから取り外す（前記ヒンジを中心として開く）ことによって簡単に出来ます。
【００４４】
そして、容器本体１の内側に沿って登ってきた生餌は、容器本体１の開口１ｄに載置位置決めされている枠体２の下面にて枠体２の上面に這い登ることが阻止され、更に枠体２の取出し孔２ｄから枠体２の上面に這い登ろうとする生餌は、枠体２の外周縁から前記取出し孔２ｄに向けて漸次下降する傾斜面２ｂに形成されている枠体２の下面にて鋭角に屈曲した状態で頭を下方に向けて這わなければならなくなるために枠体２の上面に這い登ることなく容器本体１の底部に戻ることになり、上蓋３の閉賽時に生餌を潰して殺してしまうことも防止できます。
【００４５】
また、他方の室の開口１ｄに載置位置決めされる枠体２’は、前記枠体２も前記実施例と同様に下面を傾斜面２ｂにしていますが、前記取出し孔２ｄに代えて指挿入部を除く大部分を多孔板２’ｄで閉塞するように形成しております。
【００４６】
従って、容器本体１の開口１ｄに枠体２’が嵌合していると容器本体１の内側に沿って登ってきた生餌は、容器本体１の開口１ｄに載置位置決めされている枠体２の下面及び枠体２の取出し孔２ｄを閉賽する多孔板２’ｄにて枠体２’の上面に這い登ることが確実に阻止されますし、容器本体１の内部に収納された生餌を取出すときは、指挿入部に指を挿入して枠体２’を容器本体１の開口１ｄから取り外す（前記ヒンジを中心として開く）ことによって簡単に出来ます。
【００４７】
また、枠体２’は、大部分を多孔板２’ｄで閉塞するように形成していますので、前述のように他方の室に釣用小物や冷却剤を収納した場合に上蓋３を開いて一方の室に収納している生餌を取出し時に他方の室に収納している釣用小物や冷却剤が飛び出すことを防止できるばかりか、尾部側をちぎって使用した生餌の頭部側を多孔板２’ｄ上面に置くことによって、当該頭部側の生餌が容器本体１内に収容されている生餌と混在することを防止でき、損傷した生餌による活きの良い餌の鮮度低下を防止することが出来ますし、次の餌変え時に前記頭部側の生餌を活きが悪くなる前に確実に使用することができます。
【００４８】
また、枠体２の他側外側には前記実施例と同様に一対の係止凸部２ｅが形成されており、該係止凸部２ｅは、容器本体１の開口１ｄの他側内面の枠体１の取付け時における係止凸部２ｅの対向する位置に形成されている前記一対の前記係止凹部１ｕ、１ｕに枠体２の取付け時に係止して枠体２の取付け状態を保持します。
【００４９】
次に、上蓋３は、前記実施例と同様に合成樹脂で下側が開口した皿状に形成されており、容器本体１の上部一側に形成されたヒンジ１ａ，１ｂ，１ｃに挿通されているの軸４にヒンジ３ａ、３ａを軸支して容器本体１の開口１ｄを開閉自在に枢着されており、上蓋３の他側外側にはＶ字形の係止部３ｂが形成され、該係止部３ｂの外側に係止突起３ｃが形成されています。また、上蓋３の他側内側の前記枠体２の外周縁と対向する位置、或いは前記係止凸部２ｅの対向する位置には、一対の係止突起３ｄが形成されています。
【００５０】
以上のように形成した実施例３に係る釣用餌箱の使用について説明しますと、使用時は容器本体１の止着部ａが釣人の腰に装着されたベルト等に通されます。容器本体１の中には生餌が収容されて枠体２、２’と上蓋３とが閉じられます。枠体２、２’が閉じられますと、枠体２、２’の一対の係止凸部２ｅ、２ｅが容器本体１の一対の係止凹部１ｕ，１ｕに係止されます。上蓋３が閉じられますと、Ｖ字形の係止部３ｂが容器本体１の突出板１ｆの角孔１ｇに挿入されて係止突起３ｃが角孔１ｇの縁に係止されます。枠体２、２’は、前記実施例における枠体２と同様に上蓋３に係止して容器本体１に対して一体的に開閉するようにしてもよく、この時は、上蓋３の一対の係止突起３ｄに枠体２、２’の外縁部、或いは係止凸部２ｅが係止されます。
【００５１】
枠体２、２’が上蓋３の一対の係止突起３ｄにて係止されることなく容器本体１の開口１ｄを閉塞するように載置されると、枠体２、２’の下面が外周縁から前記取出し孔２ｄに向けて漸次下降する傾斜面２ｂに形成されているので、前述のように生餌の逃げ出しを防止できると共に、枠体２を容器本体１の開口１ｄから嵌合を解除して枠体２の下に集まった生餌をこそぎ落とすことがし易く、枠体２’は、更に、前記取出し孔２ｄを多孔板２’ｄにて閉賽しておりますので、生餌の逃げ出しを更に防止できるのみならず、多孔板２’ｄの上面に生餌を載置できるので餌の付替えの簡易化と餌の鮮度の維持を可能とします。また、枠体２、２’を上蓋３に係止突起３ｄにて係止することで、這い登らない生餌を収納した場合等には容器本体１の開口１ｄを広くして使用でき、餌の取り出しが容易になります。
【００５２】
また、本実施例のように枠体２、２’が軸４にて容器本体１に回動自在に枢着されると、枠体２の紛失を防止できるのみならず、合理的に容器本体１の開口１ｄへの嵌合と上蓋３への係止が選択的に行え、前述のような収容する生餌の種類によっての使い分けができます。
【００５３】
また、本実施例における枠体２’の多孔板２’ｄは、取出し孔２ｄに代えて指挿入部を除く大部分を併載するように形成しましたが、図示を省略しますが枠体２’の上面に指掛け部を形成することによって取出し孔２ｄに代えてこの全面を閉賽するようにしても良く、又、枠板２’の下面に傾斜面２ｂ
を設けることなく平板状の枠板に孔を明けるようにしても良いものです。
【００５４】
また、本実施例においては、区画形成した２室の開口夫々に枠板２、２’を設けるようにしましたが、２室の開口に前記取出し孔２ｄを備えた枠板２、２を設けるようにしても良く、２室に多孔板２’ｄを備えた枠板２’、２’を設けるようにしても良く、２室の開口を１枚の枠板で覆うようにしても良いものです。
【図面の簡単な説明】
【００５５】
【図１】第一実施形態に係る釣用餌箱の平面図である。
【図２】第一実施形態に係る釣用餌箱の断面側面図である。
【図３】第一実施形態に係る釣用餌箱の上蓋が開かれて上蓋の裏面と容器本体と枠体が示された平面図である。
【図４】第一実施形態に係る釣用餌箱の上蓋と枠体が開かれた釣用餌箱の断面側面図である。
【図５】第一実施形態に係る容器本体の平面図である。
【図６】第一実施形態に係る容器本体の正面図である。
【図７】第一実施形態に係る容器本体の底面図である。
【図８】第一実施形態に係る枠体の平面図である。
【図９】第一実施形態に係る釣容餌箱の変形例で、釣用餌箱の上蓋と枠体が開かれた釣用餌箱の断面側面図と一部拡大図である。
【図１０】第三実施形態に係る釣用餌箱の正面断面図である。
【図１１】図１０のＸ−Ｘ断面図である。
【図１２】第三実施形態に係る容器本体の平面図である。
【図１３】第三実施形態に係る容器本体の開口を枠体で閉めた状態での平面図である。
【符号の説明】
【００５６】
１    容器本体
１ｄ      開口
２、２’  枠体
２ｄ      取出し孔
２’ｄ    多孔板
２ｂ      傾斜面
３        上蓋
【図１】
2005046077.tif 000003
【図２】
2005046077.tif 000004
【図３】
2005046077.tif 000005
【図４】
2005046077.tif 000006
【図５】
2005046077.tif 000007
【図６】
2005046077.tif 000008
【図７】
2005046077.tif 000009
【図８】
2005046077.tif 000010
【図９】
2005046077.tif 000011
【図１０】
2005046077.tif 000012
【図１１】
2005046077.tif 000013
【図１２】
2005046077.tif 000014
【図１３】
2005046077.tif 000015